(57)【要約】【課題】各使用者が指認証を通じて短時間で快適に電子機器に複数の機能を実行させる。【解決手段】複数の機能を実行可能な電子機器は、複数の登録使用者の複数の指の特徴をそれぞれ示す複数の登録指情報を記憶するとともに、登録指情報ごとに対応する機能を記憶した記憶手段０２と、実使用者の指の特徴を検出して該特徴を含む検出指情報を生成する検出手段０１と、検出指情報を複数の登録指情報と所定順序で照合して、検出指情報に一致する登録指情報を特定する認証手段０３と、認証手段により特定された登録指情報に対応する機能を実行する実行手段０６と、実使用者を示す使用者特定情報を取得すること又は該実使用者を判定する判定処理を行うことで、複数の登録使用者のうち実使用者を特定する使用者特定手段０５と、使用者特定手段により特定された実使用者に応じて所定順序を変更する制御手段０４とを有する。【選択図】図１
2018005775.tif 000002
【特許請求の範囲】
【請求項１】
複数の機能を実行可能な電子機器であって、
複数の登録使用者の複数の指の特徴をそれぞれ示す複数の登録指情報を記憶するとともに、前記登録指情報ごとに対応する前記機能を記憶した記憶手段と、
実使用者の指の特徴を検出して該特徴を含む検出指情報を生成する検出手段と、
前記検出指情報を前記複数の登録指情報と所定順序で照合して、前記検出指情報に一致する前記登録指情報を特定する認証手段と、
前記認証手段により特定された前記登録指情報に対応する前記機能を実行する実行手段と、
前記実使用者を示す使用者特定情報を取得すること又は該実使用者を判定する判定処理を行うことで、前記複数の登録使用者のうち前記実使用者を特定する使用者特定手段と、
前記使用者特定手段により特定された前記実使用者に応じて前記所定順序を変更する制御手段とを有することを特徴とする電子機器。
【請求項２】
前記制御手段は、前記複数の登録指情報のうち、前記使用者特定手段により特定された前記実使用者の登録指情報が最も先に前記検出指情報と照合されるように前記所定順序を変更することを特徴とする請求項１に記載の電子機器。
【請求項３】
前記制御手段は、前記複数の登録指情報のうち、前記判定処理において前記実使用者である可能性がより高いと判定された前記登録使用者の登録指情報からより先に前記検出指情報と照合されるように前記所定順序を変更することを特徴とする請求項１または２に記載の電子機器。
【請求項４】
前記制御手段は、前記複数の登録指情報のうち、前記使用者特定手段により特定された前記実使用者が使用する可能性がより高い前記機能に対応する登録指情報からより先に前記検出指情報と照合されるように前記所定順序を変更することを特徴とする請求項１から３のいずれか一項に記載の電子機器。
【請求項５】
前記認証手段は、前記検出指情報と前記登録指情報との一致度が認証閾値より高い場合に該登録指情報が前記検出指情報に一致すると判定し、
前記制御手段は、前記複数の登録使用者のうち、前記使用者特定手段により前記実使用者として特定された登録使用者の前記登録指情報に対する前記認証閾値を、他の前記登録使用者の前記登録指情報に対する前記認証閾値よりも低くすることを特徴とする請求項１から４のいずれか一項に記載の電子機器。
【請求項６】
前記使用者特定手段は、前記使用者特定情報として前記検出指情報を用いて前記実使用者を特定することを特徴とする請求項１から５のいずれか一項に記載の電子機器。
【請求項７】
前記使用者特定手段は、前記使用者特定情報を、前記実使用者が使用する携帯電話を検出することで取得することを特徴とする請求項１から５のいずれか一項に記載の電子機器。
【請求項８】
前記使用者特定手段は、前記電子機器を用いて生成された映像データ内で検出された顔の情報を用いて前記判定処理を行うことを特徴とする請求項１から５のいずれか一項に記載の電子機器。
【請求項９】
前記使用者特定手段は、前記使用者特定情報を、前記電子機器と通信が可能な他の機器から取得することを特徴とする請求項１から５のいずれか一項に記載の電子機器。
【請求項１０】
複数の機能を実行可能な電子機器であって、
複数の登録使用者の複数の指の特徴をそれぞれ示す複数の登録指情報を記憶するとともに、前記登録指情報ごとに対応する前記機能を記憶した記憶手段と、
実使用者の指の特徴を検出して該特徴を含む検出指情報を生成する検出手段と、
前記検出指情報を前記複数の登録指情報と所定順序で照合して、前記検出指情報に一致する前記登録指情報を特定する認証手段と、
前記認証手段により特定された前記登録指情報に対応する前記機能を実行する実行手段と、
前記電子機器の使用状況に応じて前記所定順序を変更する制御手段とを有することを特徴とする電子機器。
【請求項１１】
前記使用状況は、前記電子機器において使用中の前記機能、設定中の動作モードおよび前記実使用者であることを特徴とする請求項１０に記載の電子機器。
【請求項１２】
前記実使用者を示す使用者特定情報を取得すること又は該実使用者を判定する判定処理を行うことで、前記複数の登録使用者のうち前記実使用者を特定する使用者特定手段を有し、
前記制御手段は、前記使用者特定手段により特定された前記実使用者を前記使用状況として用いることを特徴とする請求項１１に記載の電子機器。
【請求項１３】
前記使用者特定手段は、前記使用者特定情報として前記検出指情報を用いて前記実使用者を特定することを特徴とする請求項１２に記載の電子機器。
【請求項１４】
前記使用者特定手段は、前記使用者特定情報を、前記実使用者が使用する携帯電話を検出することで取得することを特徴とする請求項１２に記載の電子機器。
【請求項１５】
前記使用者特定手段は、前記電子機器を用いて生成された映像データ内で検出された顔の情報を用いて前記判定処理を行うことを特徴とする請求項１２に記載の電子機器。
【請求項１６】
前記使用者特定手段は、前記使用者特定情報を、前記電子機器と通信が可能な他の機器から取得することを特徴とする請求項１２に記載の電子機器。
【請求項１７】
請求項１から１６のいずれかに記載の電子機器であることを特徴とする光学機器。
【請求項１８】
交換レンズまたは撮像装置であることを特徴とする請求項１７に記載の光学機器。
【請求項１９】
複数の機能を実行可能な電子機器であり、複数の登録使用者の複数の指の特徴をそれぞれ示す複数の登録指情報を記憶するとともに、前記登録指情報ごとに対応する前記機能を記憶した電子機器のコンピュータに処理を実行させるコンピュータプログラムであって、
前記コンピュータに、
実使用者の指の特徴を検出して該特徴を含む検出指情報を生成する処理と、
前記検出指情報を前記複数の登録指情報と所定順序で照合して、前記検出指情報に一致する前記登録指情報を特定する処理と、
前記特定された登録指情報に対応する前記機能を実行する処理と、
前記実使用者を示す使用者特定情報を取得すること又は該実使用者を判定することで、前記複数の登録使用者のうち前記実使用者を特定する処理と、
前記特定された実使用者に応じて前記所定順序を変更する処理と実行させることを特徴とする電子機器制御プログラム。
【請求項２０】
複数の機能を実行可能な電子機器であり、複数の登録使用者の複数の指の特徴をそれぞれ示す複数の登録指情報を記憶するとともに、前記登録指情報ごとに対応する前記機能を記憶した電子機器のコンピュータに処理を実行させるコンピュータプログラムであって、
前記コンピュータに、
実使用者の指の特徴を検出して該特徴を含む検出指情報を生成する処理と、
前記検出指情報を前記複数の登録指情報と所定順序で照合して、前記検出指情報に一致する前記登録指情報を特定する処理と、
前記特定された登録指情報に対応する前記機能を実行する処理と、
前記電子機器の使用状況に応じて前記所定順序を変更する処理とを実行させることを特徴とする電子機器制御プログラム。
【発明の詳細な説明】
【技術分野】
【０００１】
本発明は、指認証の結果に応じた機能を実行可能なカメラやカーナビゲーション機器等の電子機器に関する。
【背景技術】
【０００２】
上記のような電子機器は、使用者の指の指紋等の特徴を検出すると、その検出した特徴を示す情報（以下、検出指情報という）と記憶部に予め記憶された複数の指の特徴を示す情報（以下、登録指情報という）とを順次照合する。そして、電子機器は、検出指情報に一致する登録指情報を特定する、すなわち使用者の指を認証すると、その指（登録指情報）に予め対応付けられた機能を実行する。
【０００３】
ただし、このような指認証機能を有する電子機器には以下のような問題がある。第１の問題として、記憶部における登録指情報の数が多くなると、検出指情報と登録指情報との照合に時間を要し、認証された指に対応する機能の実行が遅れるおそれがある。特に照合する順序（照合順序）における順位が下位の指については認証されるまでに時間を要する。この問題は、特に複数の使用者によって使用可能であり、各使用者が複数の指を複数の機能に対応付け可能な電子機器において顕著である。これは多数の指の特徴を判別する必要があるために、指認証のための閾値を高く設定する必要があるためである。第２の問題として、使用者の指の汗や傷によって指の特徴の検出が正確に行われず、その結果、使用者が意図する機能が実行されないおそれがある。
【０００４】
特許文献１には、過去の使用者の指認証頻度や使用時間帯等の使用履歴から実際の使用者としての可能性が高い人物を推定し、その人物の登録指情報から先に検出指情報との照合を行うように照合順序を設定する指認証装置が開示されている。また、特許文献２には、指の特徴を検出する際の温度、湿度および圧力に基づいて検出感度を変更する指認証装置が開示されている。
【先行技術文献】
【特許文献】
【０００５】
【特許文献１】特開２００８−２７６３５９号公報
【特許文献２】特開２００７−２６４９５８号公報
【発明の概要】
【発明が解決しようとする課題】
【０００６】
しかしながら、特許文献１にて開示された指紋認証装置のように、使用履歴から推定された使用者は確実性が低く、また使用頻度が低い使用者については指認証に時間を要する。また、特許文献２にて開示された指認証装置は、指紋を検出する指紋センサ以外に、温度、湿度および圧力を検出するセンサを必要とする。
【０００７】
本発明は、簡易な構成で、複数の使用者がそれぞれ指認証を通じて短時間で快適に各機能を使用することができるようにした電子機器を提供する。
【課題を解決するための手段】
【０００８】
本発明の一側面としての電子機器は、複数の機能を実行可能な電子機器である。該電子機器は、複数の登録使用者の複数の指の特徴をそれぞれ示す複数の登録指情報を記憶するとともに、登録指情報ごとに対応する機能を記憶した記憶手段と、実使用者の指の特徴を検出して該特徴を含む検出指情報を生成する検出手段と、検出指情報を複数の登録指情報と所定順序で照合して、検出指情報に一致する登録指情報を特定する認証手段と、認証手段により特定された登録指情報に対応する機能を実行する実行手段と、実使用者を示す使用者特定情報を取得すること又は該実使用者を判定する判定処理を行うことで、複数の登録使用者のうち実使用者を特定する使用者特定手段と、使用者特定手段により特定された実使用者に応じて所定順序を変更する制御手段とを有することを特徴とする。
【０００９】
また、本発明の他の一側面としての電子機器は、複数の機能を実行可能な電子機器である。該電子機器は、複数の登録使用者の複数の指の特徴をそれぞれ示す複数の登録指情報を記憶するとともに、登録指情報ごとに対応する機能を記憶した記憶手段と、実使用者の指の特徴を検出して該特徴を含む検出指情報を生成する検出手段と、検出指情報を複数の登録指情報と所定順序で照合して、検出指情報に一致する登録指情報を特定する認証手段と、認証手段により特定された登録指情報に対応する機能を実行する実行手段と、電子機器の使用状況に応じて所定順序を変更する制御手段とを有することを特徴とする。
【００１０】
なお、上記電子機器として構成された光学機器も、本発明の他の一側面を構成する。また、上記電子機器に各構成要素の動作（処理）を実行させるコンピュータプログラムとしての電子機器制御プログラムも、本発明の他の一側面を構成する。
【発明の効果】
【００１１】
本発明によれば、簡易な構成で、複数の使用者のそれぞれが指認証機能を通じて短時間で快適に意図した機能を実行させることが可能な電子機器を実現することができる。
【図面の簡単な説明】
【００１２】
【図１】本発明の実施例１である電子機器の構成を示すブロック図。
【図２】本発明の実施例２である交換レンズを含むカメラシステムの構成を示すブロック図。
【図３】実施例２の交換レンズの外観図。
【図４】実施例２のカメラシステムの外観図。
【図５】実施例２における登録使用者情報と登録指情報と登録機能情報の例を示す図。
【図６】実施例２における指照合順序の設定方法を説明する図。
【図７】実施例２における指照合順序設定処理を示すフローチャート。
【図８】実施例２における使用者照合順序設定処理を示すフローチャート。
【図９】実施例２における機能照合順序設定処理を示すフローチャート。
【図１０】実施例２のカメラシステムにおいて交換レンズの機能を変更する処理を示すフローチャート。
【図１１】本発明の実施例３であるカーナビゲーションシステムを示す図。
【図１２】実施例３のカーナビゲーションシステムを含むダッシュボードを示す図。
【図１３】実施例３における登録使用者情報と登録指情報と登録機能情報の例を示す図。
【図１４】実施例３における使用者照合順序設定処理を示すフローチャート。
【図１５】実施例３における機能照合順序設定処理を示すフローチャート。
【図１６】実施例３における表示と音声を変更する処理を示すフローチャート。
【図１７】本発明の実施例４である電子機器の構成を示すブロック図。
【図１８】本発明の実施例５である交換レンズにおける優先照合決定処理を示すフローチャート。
【図１９】実施例５における機能照合順序設定処理を示すフローチャート。
【発明を実施するための形態】
【００１３】
以下、本発明の実施例について図面を参照しながら説明する。
【実施例１】
【００１４】
図１には、本発明の実施例１である指認証機能を有する電子機器の構成を示している。この電子機器は、指認証機能とは異なる複数の機能を実行可能である。該電子機器は、指検出部（検出手段）０１と、記憶部（記憶手段）０２と、指認証部（認証手段）０３と、認証制御部（制御手段）０４と、使用者特定部（使用者特定手段）０５と、機能制御部（実行手段）０６とを有する。
【００１５】
指検出部０１は、使用者の指の指紋等の特徴を検出して指情報を生成する。以下、指検出部０１より生成された指情報を検出指情報という。記憶部０２は、複数の使用者（登録使用者）を示す複数の登録使用者情報、該複数の登録使用者のそれぞれの複数の指（人差し指、中指および薬指等）の特徴を示す複数の登録指情報および上記複数の機能のうち各登録指情報に対応付けられた機能を予め記憶している。
【００１６】
指認証部０３は、指検出部０１が得た検出指情報を記憶部０２に記憶（登録）された複数の登録指情報と所定順序（以下、照合順序という）で照合（比較）して、検出指情報に一致する登録指情報を特定する。これにより、使用者の指を認証する。具体的には、指認証部０３は、検出指情報と登録指情報との一致度を算出し、該一致度が所定の認証閾値以上である（または認証閾値より高い）場合にこれら検出指情報と登録指情報とが一致すると判定する。
【００１７】
使用者特定部０５は、実際に電子機器を使用している使用者（以下、実使用者という）の情報である使用者特定情報を取得すること又は実使用者を判定する判定処理を行うことで、実使用者を特定（認証）する。なお、使用者特定部０５は、指検出部０１と一体で構成されてもよく、指検出部０１が取得した検出指情報を使用者特定情報として用いて実使用者を特定してもよい。また、電子機器を用いて生成された映像データ内で検出された顔情報を用いて実使用者の判定処理を行ってもよい。
【００１８】
認証制御部０４は、使用者特定部０５により特定された実使用者に応じて、指認証部０３における登録指情報の検出指情報との照合順序および認証閾値等の指認証条件を設定（変更）する。機能制御部０６は、記憶部０２に記憶された複数の機能のうち指認証部０３により認証された指（検出指情報に一致した登録指情報）に対応する機能を実行する。
【実施例２】
【００１９】
図２には、実施例１に示した電子機器が交換レンズである場合のカメラシステムの構成を示している。カメラシステム１０は、光学機器としての交換レンズ１と該交換レンズ１が取り外し可能に装着されたカメラボディ（他の機器）２とを有する。
【００２０】
交換レンズ１は、撮影レンズ１１と、実施例１で説明した指検出部０１に相当するレンズ指情報検出部１２とを有する。また、交換レンズ１は、照明光を発する照明部１３と、それぞれ撮影レンズ１１に含まれてフォーカス状態を変化させるフォーカスレンズや変倍を行う変倍レンズをモータにより駆動する駆動部１４とを有する。さらに交換レンズ１は、光量を調節する絞り１５と、カメラ振れによる像振れを低減する光学防振ユニット１６と、照明部１３、駆動部１４、絞り１５および光学防振ユニット１６を制御するＭＰＵ等のマイクロコンピュータであるレンズマイコン１７とを有する。照明部１３、駆動部１４、絞り１５および光学防振ユニット１６のうち少なくとも１つが動作する、もしくは制御が変わることによって交換レンズ１の状態が変化することを、以下の説明ではレンズ状態が変化するという。なお、交換レンズ１は、必ずしも照明部１３、駆動部１４、絞り１５および光学防振ユニット１６を全て有する必要はなく、また別の構成要素を有していてもよい。
【００２１】
レンズマイコン１７は、内部メモリとして実施例１中の記憶部０２を含むとともに、同図中の使用者特定部０５として機能する。また、レンズマイコン１７は、内部メモリに登録使用者情報ごとに記憶された複数の登録指情報のうちレンズ指情報検出部１２からの検出指情報と一致する登録指情報（認証指情報）を特定する実施例１中の指認証部０３として機能する。さらに、レンズマイコン１７は、複数の登録指情報の検出指情報との照合順序やそれらの一致を判定するための認証閾値を設定する実施例１中の認証制御部０４および認証指情報に対応する機能を実行する実施例１中の機能制御部０６として機能する。
【００２２】
カメラボディ２は、ＭＰＵ等のマイクロコンピュータとしてのカメラマイコン２３と、ＣＭＯＳセンサ等の光電変換素子である撮像素子２４とを有する。撮像素子２４は、撮像レンズ１１、絞り１５および光学防振ユニット１６を通過した光により形成された被写体像を光電変換（撮像）する。カメラマイコン２３は、撮像素子２４からの出力信号に対して各種画像処理を行って画像データを生成する。また、カメラマイコン２３は、撮像素子２４のＩＳＯ感度、撮像時のシャッター速度および生成する画像データのホワイトバランス等の撮像条件を制御する。さらにカメラマイコン２３は、カメラ端子２２とレンズ端子１９を通じてレンズマイコン１７と通信可能に接続されている。
【００２３】
また、カメラマイコン２３は、ライブビュー撮像により取得中の画像データ内に含まれる顔を検出する公知の顔検出機能を有する。カメラマイコン２３は、その内部メモリに、検出した顔にその顔を有する人物の情報が対応付けられた顔情報を複数記憶することができ、検出した顔と記憶された顔とを比較することで検出した顔を有する人物を判定する判定処理を行うことができる。レンズマイコン１７は、カメラマイコン２３から判定処理により判定した人物（実使用者）の情報を使用者特定情報として受信することが可能である。なお、レンズマイコン１７が、カメラマイコン２３から受信した画像データに対する顔検出機能と複数の顔情報を記憶する記憶部を有し、検出した顔の実使用者を顔情報から判定する判定処理を行ってもよい。
【００２４】
なお、本実施例では、実施例１で説明した電子機器がレンズ交換型カメラシステムにおける交換レンズである場合について説明しているが、撮影レンズがカメラボディに一体に設けられたレンズ一体型カメラであってもよい。この場合、図２中のレンズマイコン１７とカメラマイコン２３は一体のマイクロコンピュータとなり、該マイクロコンピュータが上述した制御や機能を実行する。
【００２５】
図３には、本実施例における交換レンズ１の外観を示している。また、図４には、本実施例におけるカメラシステムの外観を示している。交換レンズ１は、カメラボディ２との接続部としてレンズマウント３８とカメラボディ２との通信部としての前述したレンズ端子１９とを有する。また、交換レンズ１は、その外周に、図２に示した指情報検出部１２のセンサ部としてのレンズ指紋センサ３２を有する。
【００２６】
レンズ指紋センサ３２は、多数の電極とこれを覆う保護膜（センサ面）とにより構成されている。指情報検出部１２は、レンズ指紋センサ３２のセンサ面に指が押し当てられたときに電極ごとに発生する指紋の凹凸に応じた電荷を読み出し、これら電荷から得られる指紋画像を検出指情報として取得する。レンズマイコン１７は、こうして取得された検出指情報（以下、検出指紋という）と登録指情報（以下、登録指紋という）との一致度を算出し、該一致度が認証閾値以上であれば検出指紋と登録指紋とが一致すると判定する。一致度は、検出指紋と登録指紋との間で指紋の切れ目や分岐点等の特徴点の一致数から算出してもよいし、パターンマッチング方式や周波数解析方式等を用いて算出してもよい。
【００２７】
なお、指紋センサとしてはこのような方式のものに限らず、指紋を光学的に読み取る方式のセンサや、押し当てられた指がスライドされることで指紋を読み取る方式のセンサであってもよい。また、指情報検出部１２は、指紋を検出するものに限らず、静脈を検出して指を判別するもの等、他の指認証方法を用いてもよい。
【００２８】
交換レンズ１内では、前述したようにフォーカスレンズがモータにより駆動可能であり、オートフォーカス（ＡＦ）時には該モータによりフォーカスレンズが駆動される。一方、マニュアルフォーカス（ＭＦ）時には、交換レンズ１の外周に設けられたフォーカス操作リング３０が回転操作されることで、フォーカスレンズが移動する。このように、交換レンズ１は、ＡＦとＭＦの切り替え機能（以下、ＡＦ／ＭＦ切り替え機能という）を有する。また、交換レンズ１は、前述した光学防振ユニットを有し、該光学防振ユニットの防振動作のＯＮとＯＦＦを切り替える機能（以下、防振ＯＮ／ＯＦＦ機能という）を有する。交換レンズ１は、そのレンズ鏡筒の前端部に前述した照明部１３としてのＬＥＤが複数設けられている。照明部１３は、マクロ撮像を行う際に発光して被写体を照明する。交換レンズ１は、照明部１３の発光と消灯を切り替える機能（以下、照明ＯＮ／ＯＦＦ機能という）を有する。これらＡＦ／ＭＦ切り替え機能、防振ＯＮ／ＯＦＦ機能および照明ＯＮ／ＯＦＦ機能が、交換レンズ１が有する複数の機能（以下、レンズ機能という）であり、それぞれ別々の登録指情報に対応するレンズ機能である。
【００２９】
図４に示すカメラボディ２は、不図示のカメラマウントが交換レンズ１のレンズマウント３８にバヨネット結合することで交換レンズ１と接続されている。カメラボディ２には、使用者が右手でカメラボディ２を保持するためのカメラグリップ４７が設けられている。カメラグリップ４７には、カメラ指情報検出部としてのカメラ指紋センサ４６が設けられている。図２に示したカメラマイコン２３は、カメラ指紋センサ４６により検出した指紋が予め記憶した使用者の指紋のいずれかと一致することによりその指紋を有する使用者を特定（認証）することができる。カメラ指紋センサ４６の構成は、レンズ指紋センサ３２と同じである。カメラ指紋センサ４６として、指紋を光学的に読み取る方式のセンサや、押し当てられた指がスライドされることで指紋を読み取る方式のセンサを用いてもよいし、指紋の検出ではなく他の方法により指を判別するものを用いてもよい。
【００３０】
また、カメラグリップ４７の上部にはシャッタースイッチ４５が設けられている。シャッタースイッチ４５を押すと、カメラマイコン２３は設定した撮像条件に基づいて記録用画像データを生成するための撮像を行わせる。撮像条件の変更はカメラボディ２に設けられた不図示の操作部の操作によって行うことができる。また、カメラボディ２は、マクロモードや自分撮りモード等の複数の撮像モードを備えており、この撮像モードも上記操作部の操作により設定することが可能である。なお、自分撮りモードは、操作部の操作だけでなく、電子ビューファインダにおける使用者の指等での接触を検知することでも設定することができる。
【００３１】
図５には、レンズマイコン１７の内部メモリに記憶された登録使用者情報（以下、登録使用者という）と、該登録使用者ごとの登録指紋と、登録指紋ごとに登録されたレンズ機能（以下、登録レンズ機能という）との対応関係を示している。内部メモリには、登録使用者Ｘについては登録指紋Ａ，Ｂ，Ｃが記憶され、使用者Ｙについては登録指紋Ｄ，Ｅ，Ｆが記憶されている。また、登録指紋Ａ，Ｄに対応する登録レンズ機能としてＡＦ／ＭＦ切り替え機能が、登録指紋Ｂ，Ｅに対応する登録レンズ機能として防振ＯＮ／ＦＦ機能が、登録指紋Ｃ，指紋Ｆに対応する登録レンズ機能として照明ＯＮ／ＯＦＦ機能が記憶されている。
【００３２】
次に、登録指紋の検出指紋との照合順序である指照合順序Ｎの設定方法について、図６を用いて説明する。ここでは、交換レンズ１の登録使用者が使用者Ｘと使用者Ｙの２人で、登録レンズ機能がＡＦ／ＭＦ切り替え機能、防振ＯＮ／ＯＦＦ機能および照明ＯＮ／ＯＦＦ機能の３つである場合について説明する。さらに、ここでは使用者照合順序Ｕと機能照合順序Ｆとから指照合順序Ｎを設定する方法について説明する。なお、ここで説明する登録使用者や登録レンズ機能の数は例であり、他の数であってもよい。また、登録使用者ごとに登録レンズ機能の数を変えてもよい。
【００３３】
使用者照合順序Ｕでは、登録使用者のうち実使用者である可能性がより高い登録使用者ほど順位がより高くなっている。また、機能照合順序Ｆでは、各登録使用者の過去のレンズ機能の使用状況を示す使用履歴から、選択される可能性がより高いと判定されるレンズ機能ほど順位がより高くなっている。ここにいう使用状況とは、使用されたレンズ機能、撮像モードおよび実使用者等の交換レンズの使用に関係する事項である。
【００３４】
ここでは、使用者照合順序Ｕの１番目に使用者Ｘが、２番目に使用者Ｙが設定されているとする。また、使用者Ｘに対する機能照合順序Ｆの１番目にＡＦ／ＭＦ切り替え機能が、２番目に照明ＯＮ／ＯＦＦ機能が、３番目に防振ＯＮ／ＯＦＦ機能が設定されているとする。一方、使用者Ｙに対する機能照合順序Ｆの１番目にＡＦ／ＭＦ切り替え機能が、２番目に防振ＯＮ／ＯＦＦ機能が、３番目に照明ＯＮ／ＯＦＦ機能が設定されているとする。なお、ここでは登録使用者ごとに機能照合順序Ｆが異なる場合について説明するが、登録使用者ごとの機能照合順序Ｆが同じであってもよい。つまり、使用者がＸであってもＹであっても、ＡＦ／ＭＦ切り替え機能、照明ＯＮ／ＯＦＦ機能、防振ＯＮ／ＯＦＦ機能の順序で検出した指紋と各機能に対応する指紋とを照合してもよい。この場合に、周囲の環境と過去の使用履歴から照合順序を変更してもよい。より詳細には後述の図９に示すように、例えば撮影を行う環境の明るさ等の周囲の環境に合わせて各機能の照合順序を変えてもよい。
【００３５】
図７のフローチャートには、使用者照合順序Ｕと機能照合順序Ｆとから指照合順序Ｎを設定する指照合順序設定処理の流れを示している。レンズマイコン１７は、本処理および後述する各処理をコンピュータプログラムである光学機器制御プログラム（電子機器制御プログラム）に従って実行する。
【００３６】
ＳＴＥＰ１では、レンズマイコン１７は、使用者照合順序Ｕ、機能照合順序Ｆおよび指照合順序Ｎに１を代入する。そして、ＳＴＥＰ２に進む。
【００３７】
ＳＴＥＰ２では、レンズマイコン１７は、使用者照合順序Ｕにおける登録使用者ごとの機能照合順序Ｆにおける各登録レンズ機能に対応する登録指紋を指照合順序Ｎに格納する。そして、ＳＴＥＰ３に進む。
【００３８】
ＳＴＥＰ３では、レンズマイコン１７は、使用者照合順序Ｕにおける登録使用者ごとの機能照合順序ＦがＭａｘか否かを判定する。レンズマイコン１７は、ＭａｘであればＳＴＥＰ６に進み、ＭａｘでなければＳＴＥＰ４に進む。図６中の使用者Ｘを例とすると、該使用者Ｘに対する登録レンズ機能が３つであるので、レンズマイコン１７は、Ｆ＝３のときに機能照合順序ＦがＭａｘであると判定してＳＴＥＰ６に進む。一方、Ｆ＝１やＦ＝２のときは機能照合順序ＦがＭａｘではないと判定してＳＴＥＰ４に進む。
【００３９】
ＳＴＥＰ４では、レンズマイコン１７は、Ｆに１を加える。そして、ＳＴＥＰ５に進む。ＳＴＥＰ５では、レンズマイコン１７は、Ｎに１を加える。そして、ＳＴＥＰ２に進む。ＳＴＥＰ６では、レンズマイコン１７は、Ｆ＝１とする。そして、ＳＴＥＰ７に進む。
【００４０】
ＳＴＥＰ７では、レンズマイコン１７は、使用者照合順序ＵがＭａｘか否かを判定する。レンズマイコン１７は、Ｍａｘであれば本処理を終了し、ＭａｘでなければＳＴＥＰ８に進む。図６の例では、登録使用者は２人であるので、レンズマイコン１７は、Ｕ＝２のときに使用者照合順序ＵがＭａｘであると判定して本処理を終了し、Ｕ＝１のときは使用者照合順序ＵがＭａｘではないと判定してＳＴＥＰ８に進む。ＳＴＥＰ８では、レンズマイコン１７は、Ｕに１を加える。そして、ＳＴＥＰ５に進む。
【００４１】
以上の指照合順序設定処理を行うことにより、レンズマイコン１７は、使用者照合順序に従って検出指紋を登録指紋と比較するだけでなく、登録使用者ごとに使用するレンズ機能の確率が高い順で検出指紋を登録指紋と比較することになる。図６に示す例では、「指照合順序」に示すように、検出指紋と比較する登録指紋の順序（Ａ→Ｃ→Ｂ→Ｄ→Ｅ→Ｆ）を設定する。この指照合順序に従って検出指紋を登録指紋と比較していくことで、検出指紋に一致する確率が高い登録指紋を優先的に比較することができ、この結果、検出指紋を取得してから使用される確率が高いレンズ機能が実行されるまでの時間を短くすることができる。
【００４２】
次に、使用者照合順序の設定方法について説明する。初期の使用者照合順序では、複数の登録使用者が登録順に並んでいるものとする。例えば図６に示したように、使用者Ｘ→使用者Ｙの順に並べられているものとする。初期の使用者照合順序は、交換レンズ１の過去の使用履歴に基づいて更新してもよい。これにより、交換レンズ１の過去の使用履歴に基づいて使用頻度の高い使用者から順に照合する使用者照合順序に更新することができ、検出指紋を取得してからこれに対応するレンズ機能が実行されるまでの時間を短縮することができる。
【００４３】
図８のフローチャートには、初期の使用者照合順序を使用状況に応じて並べ替えて使用者照合順序を変更（更新）する使用者照合順序設定処理の流れを示している。なお、ＳＴＥＰ１０１からＳＴＥＰ１０６においては、ライブビュー撮像により取得中の画像データから実使用者を判定して、複数の登録使用者を実使用者である可能性が高い順に並べ替える処理を行う。また、ＳＴＥＰ１０７からＳＴＥＰ１１０においては、レンズマイコン１７もしくはカメラマイコン２３にて既に実使用者として認証されている登録使用者の登録指紋の検出指紋との照合順序における順位（以下、照合順位という）を上げる処理を行う。
【００４４】
ＳＴＥＰ１０１では、レンズマイコン１７は、カメラマイコン２３と通信を行い、ライブビュー撮像により取得中の画像データにおいて顔検出機能により顔が検出されているか否かを判定する。レンズマイコン１７は、顔が検出されていればＳＴＥＰ１０２に進み、顔が検出されていなければＳＴＥＰ１０７に進む。
【００４５】
ＳＴＥＰ１０２では、レンズマイコン１７は、拡大倍率Ｚと撮像素子２４上（画像データ内）での顔の大きさから判定値Ｉを算出する。拡大倍率Ｚは、交換レンズ１の焦点距離とカメラシステム１０における交換レンズ１の像側レンズ面から撮像素子２４までのバックフォーカスから決まる値である。人の顔の大きさはおおよそ等しいため、拡大倍率Ｚから、カメラ２から被写体までの距離に対応する判定値Ｉを算出することができる。つまり、判定値Ｉは、カメラ２からの距離が離れるほど大きな値となる。この後、レンズマイコン１７はＳＴＥＰ１０３に進む。
【００４６】
ＳＴＥＰ１０３では、レンズマイコン１７は、カメラ２の撮像モードが自分撮りモードか否かを判定する。レンズマイコン１７は、撮像モードが自分撮りモードであればＳＴＥＰ１０４に進み、自分撮りモードでなければＳＴＥＰ１０６に進む。
【００４７】
ＳＴＥＰ１０４では、レンズマイコン１７は、判定値Ｉが自分撮り閾値Ｓより小さいか否かを判定する。レンズマイコン１７は、判定値Ｉが自分撮り閾値Ｓより小さい場合はＳＴＥＰ１０５に進み、自分撮り閾値Ｓより大きい場合はＳＴＥＰ１０６に進む。自分撮り閾値Ｓは、自分撮りをしている人が腕を延ばしたときの腕の長さより十分に短い距離（例えば５０ｃｍ）に設定される。
【００４８】
ＳＴＥＰ１０５では、レンズマイコン１７は、使用者照合順序における登録使用者を判定値Ｉが小さい順に上位から並べ替える。この並べ替えにより、自分撮りを行った登録使用者の中でもカメラ２までの距離が近い登録使用者の登録指紋から順に検出指紋と比較することができる。この後、レンズマイコン１７はＳＴＥＰ１０６に進む。
【００４９】
ＳＴＥＰ１０６では、レンズマイコン１７は、各登録使用者の判定値Ｉが被写体閾値Ｐより大きいか否かを判定し、大きいと判定された登録使用者を判定値Ｉが大きい順に使用者照合順序における一番下位から並べる。被写体閾値Ｐは、自分撮りをしている人が腕を延ばしたときの腕の長さより十分に長い距離（例えば１００ｃｍ）に設定される。つまり、被写体閾値Ｐは、自分撮りが不可能な距離にいる登録使用者を特定するための閾値であり、カメラ２から遠くに位置して自分撮りが不可能な登録使用者の登録指紋の検出指紋との比較を後回しにすることができる。逆に言えば、カメラの近くに位置する登録使用者の登録指紋の検出指紋との比較を先に行うことができる。この後、レンズマイコン１７はＳＴＥＰ１０７に進む。
【００５０】
ＳＴＥＰ１０７では、レンズマイコン１７は、カメラマイコン２３と通信して、カメラマイコン２３が実使用者を認証しているか否かを判定する。レンズマイコン１７は、カメラマイコン２３が実使用者を認証していればＳＴＥＰ１０８に進み、カメラマイコン２３が実使用者を認証していなければＳＴＥＰ１０９に進む。
【００５１】
ＳＴＥＰ１０８では、レンズマイコン１７は、カメラマイコン２３が認証している実使用者を使用者照合順序の最上位に設定する。また、ＳＴＥＰ１０９では、レンズマイコン１７は、自身が実使用者を認証しているか否かを判定する。レンズマイコン１７は、実使用者を認証していればＳＴＥＰ１１０に進み、実使用者を認証していなければ本処理を終了する。
【００５２】
ＳＴＥＰ１１０では、レンズマイコン１７は、自身が認証している実使用者を使用者照合順序の最上位に設定する。そして、本処理を終了する。
【００５３】
上述したＳＴＥＰ１０１からＳＴＥＰ１０６の処理を行うことで、自分撮りを行っている使用者の登録指紋を優先して検出指紋と比較し、自分撮りをしていない使用者の登録指紋の検出指紋との比較は後回しにする。これにより、「実使用者」という使用状況を考慮して使用者照合順序を適切に設定することができ、検出指紋を取得してからそれに対応するレンズ機能が実行されるまでの時間を短縮することができる。
【００５４】
なお、本処理では、撮像モードが自分撮りモードに設定されている場合にのみ自分撮りを行っている使用者の照合順位を上げるようにした。しかし、自分撮りモードが設定されていなくても自分撮りを行っていると判定できる使用者の照合順位を上げてもよい。つまり、ＳＴＥＰ１０３で自分撮りモードの設定を行わなくても判定値Ｉから自分撮りを推定できた場合は、その使用者の照合順位を上げればよい。
【００５５】
また、ＳＴＥＰ１０７からＳＴＥＰ１１０の処理を行うことで、レンズマイコン１７が認証している実使用者の登録指紋を優先して検出指紋と比較する。レンズマイコン１７が実使用者を認証していない場合は、カメラマイコン２３が認証されている実使用者の登録指紋を優先して検出指紋と比較する。これによっても、「実使用者」という使用状況を考慮して使用者照合順序を適切に設定することができ、検出指紋を取得してからそれに対応するレンズ機能が実行されるまでの時間を短縮することができる。しかも、レンズマイコン１７が認証した実使用者をカメラマイコン２３が認証した実使用者よりも優先することで、交換レンズ１とカメラボディ２を別々の使用者が使用（操作）しているという使用状況においても適切に使用者照合順序を設定することができる。
【００５６】
なお、カメラボディ２が使用者認証機能を持たない場合は、ＳＴＥＰ１０７においてカカメラマイコン２３が実使用者を認証していない場合に相当する。
【００５７】
図９のフローチャートには、初期の機能照合順序を使用者や使用状況に応じて並べ替えて機能照合順序を変更（更新）する機能照合順序設定処理の流れを示している。本処理は、レンズマイコン１７もしくはカメラマイコン２３が認証している実使用者の登録レンズ機能についてのみ行う。他の登録使用者の登録レンズ機能については、全レンズ機能の選択回数（全選択回数）に対するレンズ機能ごとの選択回数の割合が高い順に機能照合順序を設定する。ただし、全ての登録使用者の登録レンズ機能に対して本処理を行い、各登録使用者について最適な機能照合順序を設定してもよい。
【００５８】
本処理において、レンズマイコン１７は、ＳＴＥＰ２０２からＳＴＥＰ２０７で照明ＯＮ／ＯＦＦ機能の優先度を決定し、ＳＴＥＰ２０８からＳＴＥＰ２１２でＡＦ／ＭＦ切り替え機能の優先度を決定する。また、レンズマイコン１７は、ＳＴＥＰ２１３からＳＴＥＰ２１５で防振ＯＮ／ＯＦＦ機能の優先度を決定し、ＳＴＥＰ２１６でそれぞれのレンズ機能の優先度に基づいて機能照合順序を変更（更新）する。
【００５９】
ＳＴＥＰ２０１では、レンズマイコン１７は、照明ＯＮ／ＯＦＦ機能の優先度Ｌ、ＡＦ／ＭＦ機能の優先度ＡＭおよび防振ＯＮ／ＯＦＦ機能の優先度Ｉを設定する。このとき、優先度Ｌ，ＡＭおよび優先度Ｉは、登録使用者ごとに異なる値を持ち、その登録使用者の各レンズ機能の選択回数を該登録使用者の指認証の全成功回数で除して得られる値を用いる。言い換えれば、各登録使用者が各レンズ機能を選択する頻度（割合）をそれぞれのレンズ機能の優先度とする。この後、レンズマイコン１７はＳＴＥＰ２０２に進む。
【００６０】
ＳＴＥＰ２０２では、レンズマイコン１７は、カメラマイコン２３と通信して、撮像モードがマクロモードか否かを判定する。レンズマイコン１７は、マクロモードであればＳＴＥＰ２０３に進み、マクロモードでなければＳＴＥＰ２０４に進む。
【００６１】
ＳＴＥＰ２０３では、レンズマイコン１７は、照明部（以下、ＬＥＤという）１３がＯＮか否かを判定する。レンズマイコン１７は、ＬＥＤ１３がＯＮであればＳＴＥＰ２０５に進み、ＬＥＤ１３がＯＦＦであればＳＴＥＰ２０６に進む。
【００６２】
ＳＴＥＰ２０４でも、レンズマイコン１７は、ＬＥＤ１３がＯＮか否かを判定する。レンズマイコン１７は、ＬＥＤ１３がＯＮであればＳＴＥＰ２０６に進み、ＬＥＤ１３がＯＦＦであればＳＴＥＰ２０８に進む。
【００６３】
ＳＴＥＰ２０５では、レンズマイコン１７は、カメラボディ２と通信して、ライブビュー撮像により取得中の画像データ（撮影画像）の輝度平均が照明不要閾値以上か否かを判定する。レンズマイコン１７は、輝度平均が照明不要閾値以上であればＳＴＥＰ２０７に進み、輝度平均が照明不要閾値より低ければＳＴＥＰ２０８に進む。照明不要閾値は、輝度平均がその値であるときにＬＥＤ１３をＯＮにすると輝度平均が明るくなりすぎる値に設定されている。つまり、レンズマイコン１７は、ＬＥＤ１３をＯＮにすると輝度平均が明るくなりすぎる場合にＳＴＥＰ２０７に進む。本ＳＴＥＰにおいて、輝度平均ではなく、撮影画像のうち白飛び（輝度飽和）が生じている部分の割合からＬＥＤ１３のＯＮが不要か否かを判定してもよい。
【００６４】
ＳＴＥＰ２０６では、レンズマイコン１７は、カメラマイコン２３と通信して、撮影画像の輝度平均が照明必要閾値以下か否かを判定する。レンズマイコン１７は、輝度平均が照明必要閾値以下であればＳＴＥＰ２０７に進み、輝度平均が照明必要閾値より高ければＳＴＥＰ２０８に進む。照明必要閾値は、輝度平均がその値であるときにＬＥＤ１３をＯＦＦにすると輝度平均が暗くなりすぎる値に設定されている。つまり、レンズマイコン１７は、ＬＥＤ１３をＯＦＦにすると輝度平均が暗くなりすぎる場合にＳＴＥＰ２０７に進む。本ＳＴＥＰにおいて、輝度平均ではなく、撮影画像のうち黒潰れが生じている部分の割合からＬＥＤ１３のＯＮが必要か否かを判定してもよい。
【００６５】
ＳＴＥＰ２０７では、レンズマイコン１７は、照明ＯＮ／ＯＦＦ機能の優先度Ｌに環境係数ＥＬを乗じる。そして、ＳＴＥＰ２０８に進む。本実施例では、環境係数ＥＬは、１よりも大きい固定値として２を用いる。ただし、これは例であり、他の値を環境係数ＥＬとして用いてもよい。また、環境係数ＥＬを変動値として、ＳＴＥＰ２０２からＳＴＥＰ２０５でのＬＥＤ１３のＯＮ／ＯＦＦや撮影画像の輝度平均といったパラメータに応じて段階的に変化させてもよい。
【００６６】
ＳＴＥＰ２０８では、レンズマイコン１７は、ＡＦが選択されている（ＡＦモードが設定されている）かＭＦが選択されている（ＭＦモードが設定されている）を判定する。レンズマイコン１７は、ＡＦモードであればＳＴＥＰ２０９に進み、ＡＦモードでなければ（ＭＦモードであれば）ＳＴＥＰ２１２に進む。
【００６７】
ＳＴＥＰ２０９では、レンズマイコン１７は、ＳＴＥＰ２０８でＡＦモードが設定されているとの判定前の所定時間ｔ（秒）内にフォーカス操作リング３０が操作されたか否かを判定する。レンズマイコン１７は、フォーカス操作リング３０が操作された場合はＳＴＥＰ２１０に進み、操作されていなければＳＴＥＰ２１１に進む。所定時間ｔは、ＭＦのためにフォーカス操作リング３０を操作した使用者がフォーカス状態が変わらない（ＡＦモードである）ことに気付いてレンズ指紋センサ３２に指を置くまでの時間として想定される時間であり、本実施例では５秒とする。ただし、この所定時間ｔは例であって他の時間を設定してもよいし、登録使用者ごとの使用履歴から登録使用者ごとに所定時間ｔを異なる時間に設定してもよい。
【００６８】
ＳＴＥＰ２１０では、レンズマイコン１７は、ＡＦ／ＭＦ切り替え機能の優先度ＡＭに環境係数ＥＡと環境係数ＥＡ２を乗じる。そして、ＳＴＥＰ２１３に進む。環境係数ＥＡは、使用者によるＭＦでの撮像回数（撮像により取得した画像の枚数）を該使用者によるＡＦモードおよびＭＦモードでの全撮像回数で除して得られる値とする。言い換えれば、環境係数ＥＡは、使用者のＭＦモードの使用頻度に相当する。また、本実施例では、環境係数ＥＡ２は、１よりも大きい固定値として２を用いる。ただし、これは例であり、他の値を環境係数ＥＡ２として用いてもよい。また、環境係数ＥＡ２を変動値として、フォーカス操作リング３０の操作速度やフォーカス操作リング３０を操作してから認証を行うまでの時間等のパラメータにより段階的に変化させてもよい。
【００６９】
ＳＴＥＰ２１１では、レンズマイコン１７は、ＡＦ／ＭＦ切り替え機能の優先度ＡＭに環境係数ＥＡを乗じる。そして、ＳＴＥＰ２１３に進む。
【００７０】
ＳＴＥＰ２１２では、レンズマイコン１７は、ＡＦ／ＭＦ切り替え機能の優先度ＡＭに環境係数ＥＭを乗じる。このとき、環境係数ＥＭは使用者のＡＦ状態での撮影枚数を使用者の撮影枚数で割った値とする。言い換えれば、使用者の撮った写真におけるＡＦで撮った写真の割合である。この後、レンズマイコン１７はＳＴＥＰ２１３に進む。
【００７１】
ＳＴＥＰ２１３では、レンズマイコン１７は、光学防振ユニット１６の防振動作がＯＮかＯＦＦかを判定する。レンズマイコン１７は、防振動作がＯＮであればＳＴＥＰ２１４に進み、ＯＦＦであればＳＴＥＰ１５に進む。
【００７２】
ＳＴＥＰ２１４では、レンズマイコン１７は、防振ＯＮ／ＯＦＦ機能の優先度Ｉに環境係数ＥＩＮを乗じる。環境係数ＥＩＮは、使用者による防振動作オフ状態での撮像回数（撮像により取得した画像の枚数）を該使用者による防振動作のＯＮ状態およびＯＦＦ状態での全撮像回数で除して得られる値とする。言い換えれば、環境係数ＥＩＮは、使用者の防振動作の使用頻度に相当する。この後、レンズマイコン１７はＳＴＥＰ２１６に進む。
【００７３】
ＳＴＥＰ２１５では、レンズマイコン１７は、防振ＯＮ／ＯＦＦ機能の優先度Ｉに環境係数ＥＩＦを乗じる。環境係数ＥＩＦは、使用者による防振動作ＯＮ状態での撮像回数（撮像により取得した画像の枚数）を前述した該使用者による防振動作のＯＮ状態およびＯＦＦ状態での全撮像回数で除して得られる値とする。言い換えれば、環境係数ＥＩＦは、使用者の防振動作の不使用頻度に相当する。この後、レンズマイコン１７はＳＴＥＰ２１６に進む。
【００７４】
ＳＴＥＰ２１６では、レンズマイコン１７は、照明ＯＮ／ＯＦＦ機能の優先度Ｌ、ＡＦ／ＭＦ切り替え機能の優先度ＡＭおよび防振ＯＮ／ＯＦＦ機能の優先度Ｉを大きい順に機能照合順序として設定する。そして、本処理を終了する。
【００７５】
ＳＴＥＰ２０１およびＳＴＥＰ２１６の処理により、使用者の使用履歴から選択される可能性がより高いレンズ機能に対応する登録指紋の検出指紋との照合順位をより上げることができる。つまり、使用者がよく使う（使用頻度が高い）レンズ機能に対応する登録指紋が優先的に検出指紋と比較されることになり、この結果、検出指紋を取得してから対応するレンズ機能が実行されるまでの時間を短縮することができる。
【００７６】
また、ＳＴＥＰ２０２〜２０７およびＳＴＥＰ２１６の処理により、ＬＥＤ１３がＯＦＦであるとともに撮像モードがマクロモードで、かつ撮影画像が暗いと判定できるときは照明ＯＮ／ＯＦＦ機能に対応する登録指紋の照合順位を上げることができる。つまり、ＬＥＤ１３を点灯する可能性が高い場合には、ＬＥＤ１３のＯＮに対応する登録指紋が優先的に検出指紋と比較される。また、ＬＥＤ１３がＯＮであるとともに撮像モードがマクロモードではない、または撮影画像が十分明るいと判定できるときにも、照明ＯＮ／ＯＦＦ機能に対応する登録指紋の照合順位を上げることができる。つまり、ＬＥＤ１３を消灯する可能性が高い場合には、ＬＥＤ１３をＯＦＦに対応する登録指紋が優先的に検出指紋と比較される。これにより、検出指紋を取得してからＬＥＤ１３の点灯／消灯が行われるまでの時間を短縮することができる。
【００７７】
また、ＳＴＥＰ２０８〜２１２およびＳＴＥＰ２１６の処理により、フォーカス操作リング３０を操作したことを検出した時点でＡＦモードが設定されていれば、ＡＦ／ＭＦ切り替機能に対応する登録指紋の照合順位を上げることができる。つまり、ＡＦモード設定中に使用者がＭＦモードへの変更を行う可能性が高い場合には、ＭＦモードへの切り替えに対応する登録指紋が優先的に検出指紋と比較される。また、ＡＦモードとＭＦモードのうち撮像を行う頻度が高い、つまりは使用される可能性が高いフォーカスモードへの切り替えに対応する登録指紋の照合順位を上げることができる。これにより、検出指紋を取得してから使用者が希望するフォーカスモードに切り替えられるまでの時間を短縮することができる。
【００７８】
さらに、ＳＴＥＰ２１３からＳＴＥＰ２１６の処理により、防振動作ＯＮ状態とＯＦＦ状態のうち撮像を行う頻度が高い、つまりは使用される可能性が高い状態への切り替えに対応する登録指紋の照合順位を上げることができる。これにより、検出指紋を取得してから使用者が希望する防振動作のＯＮ／ＯＦＦ状態に切り替えられるまでの時間を短縮することができる。
【００７９】
図１０のフローチャートを用いて、レンズマイコン１７が図４に示したレンズ指紋センサ３２を通じて取得した検出指紋に対応する登録レンズ機能を実行するため処理について説明する。本処理はカメラシステムが撮像可能な状態にあればいつでも行うことができ、またレンズ指紋センサ３２による指紋検出開始用のスイッチを設けてこれがＯＮ操作されたときに行ってもよい。
【００８０】
ＳＴＥＰ３０１では、レンズマイコン１７は、レンズ指紋センサ３２に使用者の指が置かれたことを検出したか否かを判定する。レンズマイコン１７は、指が置かれたことを検出していなければＳＴＥＰ３０１を繰り返し、検出したときはＳＴＥＰ２０２に進んでレンズ指紋センサ３２に指紋の読み取り（スキャン）を行わせる。そして、ＳＴＥＰ３０３に進む。
【００８１】
ＳＴＥＰ３０３では、レンズマイコン１７は、指照合順序Ｎを１とする。そして、ＳＴＥＰ３０４に進む。
【００８２】
ＳＴＥＰ３０４では、レンズマイコン１７は、指照合順序Ｎの登録指紋と検出指紋との一致度ｕを算出する。そして、ＳＴＥＰ３０５に進む。
【００８３】
ＳＴＥＰ３０５では、レンズマイコン１７は、指照合順序Ｎの登録指紋に対応する登録使用者がレンズマイコン１７もしくはカメラマイコン２３により実使用者として認証されているか否かを判定する。レンズマイコン１７は、該登録使用者が実使用者として認証されていればＳＴＥＰ３０６に進み、認証されていなければＳＴＥＰ３０７に進む。
【００８４】
ＳＴＥＰ３０６では、レンズマイコン１７は、一致度ｕが第１の認証閾値以上か否かを判定する。レンズマイコン１７は、一致度ｕが第１の認証閾値以上であればＳＴＥＰ３１０に進み、第１の認証閾値より低ければＳＴＥＰ３０８に進む。
【００８５】
ＳＴＥＰ３０７では、レンズマイコン１７は、一致度ｕが第２の認証閾値以上か否かを判定する。レンズマイコン１７は、一致度ｕが第２の認証閾値以上であればＳＴＥＰ３１０に進み、第２の認証閾値より低ければＳＴＥＰ３０８に進む。第１および第２の認証閾値については後述する。
【００８６】
ＳＴＥＰ３０８では、レンズマイコン１７は、指照合順序Ｎに１を加える。そして、ＳＴＥＰ３０９に進む。
【００８７】
ＳＴＥＰ３０９では、レンズマイコン１７は、指照合順序Ｎが最大（Ｍａｘ）か否かを判定する。レンズマイコン１７は、指照合順序Ｎが最大であれば本処理を終了し、最大でなければＳＴＥＰ３０４に進む。
【００８８】
ＳＴＥＰ３１０では、レンズマイコン１７は、指照合順序Ｎの登録指紋に対応する登録レンズ機能を実行する。そして、ＳＴＥＰ３１１に進む。
【００８９】
ＳＴＥＰ３１１では、レンズマイコン１７は、指照合順序Ｎの登録指紋に対応する登録使用者を交換レンズ１の実使用者と認証する。そして、本処理を終了する。
【００９０】
本処理において、第１の認証閾値は第２の認証閾値よりも低く、すなわち一致度ｕが低くても認証可能となるように設定されている。また、第１の認証閾値は、同じ登録使用者の複数の指の指紋の違いを判別できる値に設定され、第２の認証閾値は複数の登録使用者全ての複数の指の指紋の違いが判別できる値に設定されている。つまり、レンズマイコン１７もしくはカメラマイコン２３に実使用者として認証されている登録使用者は、認証されていない登録使用者に比べて低い第１の認証閾値を用いて認証される。
【００９１】
また、ＳＴＥＰ３１１の処理により実使用者として認証されていない人でも、直前に使用していれば実使用者として認証される。例えば、カメラシステムを長時間使用している使用者の指の状態が汗や汚れ等により変化することで一致度ｕが低下する場合がある。このような場合でも、その使用者が直前にカメラシステムを使用していれば、もしくはカメラマイコン２３がその使用者を認証していれば、一致度ｕと比較される第１の認証閾値が低くなる。このため、引き続きその使用者はレンズ指紋センサ３２を通じて各レンズ機能を実行させることが可能である。また、使用者が指に傷を有する場合でも、他の指で実使用者として認証され、認証閾値を低くすることができるので、傷を有する指をレンズ指紋センサ３２でスキャンさせても意図したレンズ機能を実行させることができる。
【００９２】
また、既に認証された実使用者とは異なる使用者の指紋が検出および認証された場合は、その指紋に対応する登録使用者を実使用者と認証することができる。このため、実使用者が変わった場合でも一度認証が行われることで変更後の実使用者の指紋が認証されやすくなり、変更後の使用者は快適なレンズ操作を行うことができる。
【００９３】
本実施例では、図８のＳＴＥＰ１０６においてカメラから遠くに位置して自分撮りが不可能な登録使用者の登録指紋の照合順位を下げる場合について説明したが、その登録使用者の登録指紋を検出指紋との比較対象から除外してもよい。
【００９４】
また、本実施例では、指認証により変更するレンズ機能として交換レンズに設けられている一般的なレンズ機能を例として説明したが、他のレンズ機能を指認証により変更するレンズ機能としてもよい。例えば、操作リングの操作で変倍機能とフォーカス機能の切り替えが可能な交換レンズにおいて変倍／フォーカス切り替え用登録指紋が設定されている場合に、操作リングの操作中は該変倍／フォーカス切り替え用登録指紋の照合順位を下げてもよい。また、交換レンズに設けられた振れセンサ（ジャイロセンサ等）によりカメラ振れを検出している状態で光学防振ユニットの動作がＯＦＦであれば、防振ＯＮ／ＯＦＦ機能用の登録指紋の照合順位を上げてもよい。
【００９５】
また、本実施例では、検出指紋と登録指紋の一致度に対する認証閾値を変更することで認証感度を変更する場合について説明したが、検出指紋の切れ目や分岐点等の特徴点から指紋認証を行う場合に抽出する特徴点を変更してもよい。例えば、使用者が有する指紋の特徴点の違いから効率的に一致度を算出することで、処理時間を短くすることができ、さらに快適なレンズ操作を行うことが可能になる。
【００９６】
また、本実施例では、実使用者の認証を指紋認証により行う場合について説明したが、先に説明した顔検出機能を用いた方法を用いてもよい。また、カメラボディで実使用者の認証を行う場合も、指紋認証や顔検出機能による顔認証ではなく、光学ファインダを覗く使用者の眼の虹彩を検出して使用者を認証する方法を用いてもよい。
【００９７】
また、本実施例では、交換レンズが装着（接続）されているカメラボディにおいて使用者を認証可能な例について説明したが、スマートフォン等、カメラシステムに直接接続されていないものと通信を行うことで、実使用者を特定してもよい。この場合、カメラシステムとスマートフォンの距離から実使用者を判定（特定）することができる。また、スマートフォンに限らず、個人の識別情報として使用可能なものと通信を行って実使用者を特定してもよい。
【実施例３】
【００９８】
図１１には、本発明の実施例３である電子機器としてのカーナビゲーション装置（以下、カーナビ装置という）を示している。カーナビ装置５０は、自動車内に設置される。カーナビ装置５０は、指情報検出部５１、音響部５３、表示部５４、操作部５６および機能制御部としてのカーナビゲーションマイクロコンピュータ（以下、ナビマイコンという）５２を有する。
【００９９】
ナビマイコン５２は、ＭＰＵ等により構成され、指情報検出部５１または操作部５６により検出された指情報に基づいて音響部５３および表示部５４を制御する。これにより、音響部５３および表示部５４に、指認証機能とは異なる複数の機能を実行させることができる。ナビマイコン５２は、実施例１中の記憶部０２、指認証部０３、機能制御部０６および認証制御部０４として機能する。ナビマイコン５２は、実施例２のレンズマイコン１７と同様に、指情報検出部５１で取得した指情報（検出指紋）を登録指情報（登録指紋）と比較し、一致すると認証された登録指紋に対応する機能を音響部５３および表示部５４に実行させる。
【０１００】
また、カーナビ装置５０は、実施例１中の使用者特定部０５として携帯電話検出部５５を有する。携帯電話検出部５５は、車内に存在する携帯電話を検出し、該携帯電話に対応する使用者を使用者特定情報として認識する。携帯電話と使用者との対応関係についてはナビマイコン５２の内部メモリに記憶されていてもいいし、携帯電話に記憶されていてもよい。また、各携帯電話が有する固有の携帯電話番号をそのまま使用者特定情報として用いてもよい。ナビマイコン５２は、携帯電話検出部５５により取得された使用者特定情報に応じて、登録指紋の検出指紋との照合順序および認証閾値等の指認証条件を設定（変更）する。
【０１０１】
図１２には、本実施例におけるカーナビ装置５０が組み込まれた自動車のダッシュボードを示している。スピーカー６４は図１１中の音響部５３に含まれ、液晶パネル６３は図１１中の表示部５４に含まれる。カーナビ装置５０は自動車の電源が投入されることでＯＮとなり、液晶パネル６３の表示内容としてナビゲーションマップやテレビ映像を出力したり、音響部５３を通じてナビゲーション音声、テレビ音声、ラジオの音声および音楽を出力したりする。すなわち、カーナビ装置５０は、複数の機能として、ナビゲーションマップおよびナビゲーション音声を出力するカーナビ機能、テレビ映像およびテレビ音声を出力するテレビ機能、ラジオ音声を出力するラジオ機能および音楽を出力する音楽機能を有する。なお、カーナビ機能では、テレビ音声、ラジオ音声または音楽を音声出力したままナビゲーションマップを液晶パネル６３に表示し、必要に応じてナビゲーション音声を出力することができる。また、ラジオ機能および音楽機能では、選択されているラジオ局や楽曲の情報を液晶パネル６３に表示することができる。
【０１０２】
カーナビ装置５０において上記機能を選択する（切り替える）には、使用者（運転者）が操作スイッチ６５を操作したり図１１中の指情報検出部５１に含まれる指紋センサ６１を通じた指認証機能を用いたりする。操作スイッチ６５は液晶パネル６３近傍に設けられ、指紋センサ６１はハンドル上に配置されている。使用者は通常はハンドルを握っているので、ハンドル上に配置された指紋センサ６１を通じて複数の機能の選択ができるのは利便性が高い。指紋センサ６１としては、実施例２にて説明したレンズおよびカメラ指紋センサ３２，４６と同様のものを用いればよい。
【０１０３】
また、カーナビ装置５０は、図１１に示したナビマイコン５２および携帯電話検出部５５を内蔵している。
【０１０４】
図１３は、ナビマイコン５２の内部メモリに記憶された登録使用者情報（以下、登録使用者という）と、該登録使用者ごとの登録指紋と、登録指紋ごとに登録された機能（以下、登録機能という）との対応関係を示している。内部メモリには、登録使用者Ｘについては登録指紋Ａ，Ｂ，Ｃ，Ｇが記憶され、使用者Ｙについては登録指紋Ｄ，Ｅ，Ｆ，Ｈが記憶されている。また、登録指紋Ａ，Ｄに対応する登録機能としてカーナビ機能（ナビゲーションマップを表示し音声は変更せず）が、登録指紋Ｂ，Ｅに対応する登録機能としてテレビ機能が、登録指紋Ｃ，指紋Ｆに対応する登録機能としてラジオ機能が記憶されている。さらに、登録指紋Ｇ，Ｆに対応する登録機能として音楽機能が記憶されている。なお、図１３には登録指紋に対応する登録機能の例を示しているに過ぎず、各使用者が自由に設定することができる。例えば、指紋Ｇに対して、表示はそれまでと変更することなく音声のみ音楽とすることもできる。
【０１０５】
本実施例では、実施例２と同様に、使用者照合順序Ｕｋと機能照合順序Ｆｋとから指照合順序Ｎｋを設定する。指照合順序Ｎｋの設定方法および設定処理（指照合順序設定処理）はそれぞれ、実施例２と機能数は異なるが、図６および図７に示した設定方法および設定処理と同様であるため、ここでの説明は省略する。
【０１０６】
図１４のフローチャートを用いて、本実施例における使用者照合順序Ｕｋを設定する処使用者照合順序設定処理について説明する。ナビマイコン５２は、本処理、上記指照合順序設定処理および後述する各処理をコンピュータプログラムである光学機器制御プログラム（電子機器制御プログラム）に従って実行する。
【０１０７】
ＳＴＥＰ４０１では、ナビマイコン５２は、各登録使用者の使用頻度ｒｘを算出する。使用頻度ｒｘは、登録使用者が指認証に成功した回数を全ての登録使用者が指認証に成功した回数で除して得られる割合である。
【０１０８】
ＳＴＥＰ４０２では、ナビマイコン５２は、直前に使用した登録使用者（実使用者）の使用頻度ｒｘに２を加える。直前に使用した登録使用者とは、電源をＯＮにした後に直前に指紋センサ６１を通じて検出（認証）された実使用者であり、電源をＯＮにした直後は該当する登録使用者はなしとなる。この後、ナビマイコン５２はＳＴＥＰ４０３に進む。
【０１０９】
ＳＴＥＰ４０３では、ナビマイコン５２は、携帯電話検出部５５を通じて検出（認証）された登録使用者の使用頻度ｒｘに１を加える。そして、ＳＴＥＰ４０４に進む。
【０１１０】
ＳＴＥＰ４０４では、ナビマイコン５２は、登録使用者を使用頻度ｒｘが高い順に並べて使用者順序Ｕｋを設定する。そして、ＳＴＥＰ４０５に進む。
【０１１１】
ＳＴＥＰ４０５では、ナビマイコン５２は、各登録使用者の使用頻度ｒｘをリセットする。そして、本処理を終了する。
【０１１２】
使用頻度ｒｘは、前述したようにある登録使用者が指認証に成功した回数を全登録使用者が指認証に成功した回数で除して得られる値であるため、１よりも大きくなることはない。このため、ＳＴＥＰ４０２で２を加えられた、直前に使用した登録使用者の使用頻度ｒｘは必ず最も大きくなり、ＳＴＥＰ４０４で設定される使用者照合順序Ｕｋにおいてその実使用者が最上位となる。これにより、直前に使用した登録使用者の登録指紋の照合順位を最上位とすることができる。指紋センサ６１はハンドルに設けられているため、運転席以外の人が指を置く可能性が低い。特に自動車の運転中にハンドルに設けられた指紋センサ６１を運転者以外の人が触る可能性は少ない。このため、指紋センサ６１を通じて認証された登録使用者が実使用者であると高い確率で判定（特定）できる。
【０１１３】
また、ＳＴＥＰ４０３で携帯電話検出部５５を通じて認証された登録使用者の使用頻度ｒｘに１を加えるため、直前に使用した登録使用者に次いで使用者照合順序Ｕｋ内での順位を上げることができる。携帯電話検出部５５により検出された登録使用者は携帯電話を持って車内にいる可能性が高く、検出された登録使用者が複数いる場合はそのうちのいずれかが運転席に座り、指紋センサ６１に指を置いたと判定できる。このため、直前に指紋センサ６１を通じて実使用者が認証されていなくても、実使用者であると判定される登録使用者の使用者照合順序Ｕｋ内での順位を上げることができる。また、この際に検出されている複数の登録使用者の使用者照合順序Ｕｋ内での順序もそれぞれの使用頻度が多い順となっているので、実使用者としての可能性がより高い登録使用者の照合順位をより上げることができる。
【０１１４】
図１５のフローチャートを用いて、本実施例において初期の機能照合順序を使用状況によって並べ替えて機能照合順序を変更（更新）する機能照合順序設定処理について説明する。本処理は、直前に使用した又は携帯電話検出部５５を通じて認証された登録使用者についてのみ行う。その他の登録使用者については、全機能の選択回数（全選択回数）に対する機能ごとの選択回数の割合が高い順に機能照合順序を設定する。ただし、全ての登録使用者の登録レンズ機能に対して本処理を行い、各登録使用者について最適な機能照合順序を設定してもよい。
【０１１５】
ＳＴＥＰ５０１では、ナビマイコン５２は、登録使用者の機能使用頻度ｒｆを算出する。機能使用頻度ｒｆは、登録使用者の各登録指紋での指認証の成功回数（各機能の選択回数）をその登録使用者の指認証の全成功回数で除して得られる割合である。
【０１１６】
ＳＴＥＰ５０２では、ナビマイコン５２は、登録使用者の全登録指紋のうち、液晶パネル６３上の表示が機能選択後の変更機能と一致する登録指紋に対応する機能使用頻度ｒｆから１を減じる。例えば図１３に示す使用者Ｘについては、液晶パネル６３にテレビ映像が表示された状態でテレビ機能が選択されても表示はテレビ映像のままである。このため、使用者Ｘの登録指紋Ｂに対応する機能使用頻度を−１する。これにより、液晶パネル６３上の表示が機能選択後も変わらない登録指紋に対応する機能使用頻度ｒｆを他の登録指紋よりも下げることができる。この後、ナビマイコン５２はＳＴＥＰ５０３に進む。
【０１１７】
ＳＴＥＰ５０３では、ナビマイコン５２は、登録使用者の全登録指紋のうち、スピーカー６４からの音声が機能選択後の変更機能と一致する登録指紋に対応する機能使用頻度ｒｆから１を減じる。例えば使用者Ｘについては、音楽が出力された状態で音楽機能が選択されても音声は音楽のままである。このため、使用者Ｘの登録指紋Ｇに対応する機能使用頻度を−１する。これにより、スピーカー６４からの音声が機能選択後も変わらない登録指紋に対応する機能使用頻度ｒｆを他の登録指紋よりも下げることができる。この後、ナビマイコン５２はＳＴＥＰ５０４に進む。
【０１１８】
ＳＴＥＰ５０４では、ナビマイコン５２は、登録使用者の全登録指紋を機能使用頻度ｒｆが高い順に並べて機能照合順序Ｕを設定する。そして、ＳＴＥＰ５０５に進む。
【０１１９】
ＳＴＥＰ５０５では、ナビマイコン５２は、各登録指紋に対応する機能使用頻度ｒｆをリセットする。そして、本処理を終了する。
【０１２０】
機能使用頻度ｒｆは、前述したように登録使用者の各登録指紋での指認証の成功回数をその登録使用者の指認証の全成功回数で除して得られる値であるため、１より小さく０より大きい。このため、ＳＴＥＰ５０２とＳＴＥＰ５０３で指認証がなされたとしても機能変更が行われることがない登録指紋に対応する機能使用頻度から１を減じると、その機能使用頻度を他の登録指紋に対応する機能使用頻度より小さくすることができる。この結果、指認証により機能変更が行われる登録指紋に対応する機能使用頻度が相対的に大きくなり、その登録指紋の照合順位を上げることができる。つまり、指紋センサ６１に指を置く使用者には機能を変更しようという意図があるので、使用者のその意図に合わせて、検出指紋と比較される登録指紋（つまりは選択される機能）の優先度を上げることができる。
【０１２１】
図１６のフローチャートには、指紋センサ６１を用いて表示と音声を変更する処理の流れを示している。ＳＴＥＰ６０１〜ＳＴＥＰ６０４の処理は、実施例２において図１０に示したＳＴＥＰ３０１〜ＳＴＥＰ３０４の処理と同様である。また、ＳＴＥＰ６０６〜ＳＴＥＰ６１１の処理も、図１０に示したＳＴＥＰ３０６〜ＳＴＥＰ３１１の処理と同様である。ＳＴＥＰ６０５では、ナビマイコン５２は、指照合順序Ｎｋの登録指紋に対応する登録使用者がナビマイコン５２により実使用者として認証されているか否かを判定し、そうであればＳＴＥＰ６０６に進み、そうでなければＳＴＥＰ６０７に進む。
【０１２２】
自動車の運転を長時間行っている使用者の指の状態が汗や汚れ等により変化することで一致度ｕが低下する場合がある。本処理は、このような場合でもその使用者が直前に指紋センサ６１を通じてカーナビ装置５０の機能を使用していれば、一致度ｕと比較される第１の認証閾値（ＳＴＥＰ６０６）を低くする。このため、引き続きその使用者は指紋センサ６１を通じてカーナビ装置５０に各機能を実行させることが可能である。特に自動車の運転中は常に手でハンドルを握っているために指の状態が変化しやすいので、本処理は有効である。また、使用者が指に傷を有する場合でも、他の指で実使用者として認証され、認証閾値を低くすることができるので、傷を有する指を指紋センサ６１でスキャンさせても意図した機能をカーナビ装置５０に実行させることができる。
【０１２３】
また、既に認証された実使用者とは異なる使用者の指紋が検出および認証された場合は、その指紋に対応する登録使用者を実使用者と認証することができる。このため、実使用者が変わった場合でも一度認証が行われることで変更後の実使用者の指紋が認証されやすくなり、変更後の使用者は快適なカーナビ装置５０の操作を行うことができる。
【実施例４】
【０１２４】
図１７には、本発明の実施例４である電子機器の構成を示している。この電子機器は、指認証機能とは異なる複数の機能を実行可能である。該電子機器は、指検出部（検出手段）７１と、記憶部（記憶手段）７３と、指認証部（認証手段）７４と、認証制御部（制御手段）７２と、機能制御部（実行手段）７６とを有する。
【０１２５】
指検出部７１は、使用者の指の指紋等の特徴を示す指情報を検出する。以下、指検出部７１より検出された指情報を検出指情報という。記憶部７３は、複数の使用者（登録使用者）を示す複数の登録使用者情報、該複数の登録使用者のそれぞれの複数の指（人差し指、中指および薬指等）の特徴を示す複数の登録指情報および上記複数の機能のうち各登録指情報に対応付けられた機能を予め記憶している。
【０１２６】
指認証部７４は、指検出部７１が得た検出指情報を記憶部７３に記憶（登録）された複数の登録指情報と所定順序である照合順序で照合（比較）して、検出指情報に一致する登録指情報を特定する。これにより、実使用者の指を認証する。具体的には、指認証部７４は、検出指情報と登録指情報との一致度を算出し、該一致度が所定の認証閾値以上である（またはより高い）場合にこれら検出指情報と登録指情報とが一致すると判定する。
【０１２７】
認証制御部７２は、該電子機器の使用状況を検出し、検出した使用状況に応じて、指認証部７４における登録指情報の検出指情報との照合順序等の指認証条件を設定（変更）する。使用状況とは、該電子機器において使用中の機能、設定中の動作モードおよび実使用者等の電子機器の使用に関する事項である。なお、認証制御部７２は、実使用者を示す使用者特定情報を取得すること又は実使用者を判定する判定処理を行うことで、実使用者を特定（認証）する使用者特定手段としても機能する。この際、指検出部７１が取得した検出指情報を使用者特定情報として用いて実使用者を特定してもよい。また、電子機器を用いて生成された映像データ内で検出された顔情報を用いて実使用者の判定処理を行ってもよい。
【０１２８】
機能制御部７５は、記憶部７３に記憶された複数の機能のうち指認証部７４により認証された指（検出指情報に一致した登録指情報）に対応する機能を実行する。
【０１２９】
本実施例は、次の実施例５で説明する交換レンズに適用することができるほか、実施例３で説明したようなカーナビ装置にも適用することができる。この場合において、実施例３にて説明したように、使用者特定情報を、実使用者が使用する携帯電話を検出することで取得してもよい。
【実施例５】
【０１３０】
次に、本発明の実施例５である交換レンズと該交換レンズが取り外し可能に装着されたカメラボディとを含むカメラシステムについて説明する。本実施例のカメラシステムの構成は、実施例２において図２、図３および図４を用いて説明したカメラシステムの構成と同じである。このため、本実施例において実施例２と共通する構成要素には、実施例２と同符号を付して詳しい説明は省略する。
【０１３１】
本実施例では、レンズマイコン１７は、指認証において使用者優先照合と機能優先照合のうちいずれを行うかを決定する。使用者優先照合では、まず使用者特定情報に応じて設定された使用者照合順序に従って指認証を行う登録使用者を決定し、次に登録使用者ごとに設定された機能照合順序に従って各登録レンズ機能に対応する登録指紋を検出指紋と比較する。一方、機能優先照合では、まず機能照合順序に従って検出指紋と比較する登録指紋（つまりは登録レンズ機能）を決定し、登録レンズ機能ごとに使用者照合順序に従って登録使用者の指認証を行う。実施例２で用いた図５を用いて具体例を示す。使用者照合順序がＸ→Ｙであり、機能照合順序がＡＦ／ＡＭ切り替え機能→防振ＯＮ／ＯＦＦ機能→照明ＯＮ／ＯＦＦ機能であるとする。この場合に、使用者優先照合では、指紋Ａ→Ｂ→Ｃ→Ｄ→Ｅ→Ｆの順に指認証を行う。これに対して機能優先照合では、指紋Ａ→Ｄ→Ｂ→Ｅ→Ｃ→Ｆの順に指認証を行う。
【０１３２】
図１８のフローチャートには、レンズマイコン１７が使用者優先照合を行うか機能優先照合を行うかを決定する優先照合決定処理の流れを示している。
【０１３３】
ＳＴＥＰ７０１では、レンズマイコン１７は、登録使用者の数と登録レンズ機能の数を比較して、登録使用者の数が登録レンズ機能の数より多いか否かを判定する。レンズマイコン１７は、登録使用者の数の方が多ければＳＴＥＰ７０２に進み、使用者優先照合を行うことに決定して本処理を終了する。一方、登録使用者の数の方が少なければ、ＳＴＥＰ７０３に進み、機能優先照合を行うことに決定して本処理を終了する。
【０１３４】
本処理は、登録使用者および登録レンズ機能のうち数が多い方を優先した指認証の順序を決める。このため、登録使用者と登録レンズ機能の組み合わせのうち照合順序が上位の組み合わせから効率的に登録指紋の検出指紋との照合を行うことが可能となり、検出指紋を取得してからこれに対応するレンズ機能が実行されるまでの時間を短縮することができる。
【０１３５】
なお、本処理を行わなくても使用者優先照合および機能優先照合のうち確実性が高い方が判定できるのであれば、その確実性が高い優先照合を固定的に使用してもよい。
【０１３６】
本実施例における使用者照合順序の設定処理は、実施例２において図８を用いて説明した処理と同じであり、ここでの説明は省略する。
【０１３７】
次に、本実施例における機能照合順序の設定方法について説明する。交換レンズの使用状況を考慮する前の初期の機能照合順序は、一般的な使用者による交換レンズの使用を考慮して、前述したようにＡＦ／ＡＭ切り替え機能→防振ＯＮ／ＯＦＦ機能→照明ＯＮ／ＯＦＦ機能に設定されている。
【０１３８】
なお、過去の使用履歴に応じて初期の機能照合順序を更新してもよい。これにより、過去の使用履歴に基づいて使用頻度の高い機能から順に照合する機能照合順序に更新することができ、検出指紋を取得してからこれに対応するレンズ機能が実行されるまでの時間を短縮することができる。
【０１３９】
図１９のフローチャートには、初期の機能照合順序を使用状況に応じて並べ替えて機能照合順序を変更（更新）する機能照合順序設定処理の流れを示している。使用状況とは、交換レンズにおいて使用中のレンズ機能、設定中の動作モード（マクロモード等の撮像モードやＡＦ／ＭＦモード等のフォーカスモード）および実使用者等の交換レンズの使用に関する事項である。
【０１４０】
ＳＴＥＰ８０１では、レンズマイコン１７は、カメラマイコン２３と通信して、撮像モードがマクロモードか否かを判定する。レンズマイコン１７は、マクロモードであればＳＴＥＰ８０２に進み、マクロモードでなければＳＴＥＰ８０３に進む。
【０１４１】
ＳＴＥＰ８０２では、レンズマイコン１７は、ＬＥＤ１３がＯＮか否かを判定する。レンズマイコン１７は、ＬＥＤ１３がＯＮであればＳＴＥＰ８０４に進み、ＬＥＤ１３がＯＦＦであればＳＴＥＰ８０５に進む。
【０１４２】
ＳＴＥＰ８０３では、レンズマイコン１７は、ＬＥＤ１３はＯＮか否かを判定する。レンズマイコン１７は、ＬＥＤ１３がＯＮであればＳＴＥＰ８０６に進み、ＬＥＤ１３がＯＦＦであればＳＴＥＰ８０７に進む。
【０１４３】
ＳＴＥＰ８０４では、レンズマイコン１７は、カメラマイコン２３と通信して、ライブビュー撮像により取得中の画像データ（撮影画像）の輝度平均が照明不要閾値以上か否かを判定する。レンズマイコン１７は、輝度平均が照明不要閾値以上であればＳＴＥＰ８０６に進み、輝度平均が照明不要閾値より低ければＳＴＥＰ８０７に進む。照明不要閾値は、実施例２における図９のＳＴＥＰ２０５にて説明した通りである。
【０１４４】
ＳＴＥＰ８０５では、レンズマイコン１７は、カメラマイコン２３と通信して、撮影画像の輝度平均が照明必要閾値以下か否かを判定する。レンズマイコン１７は、輝度平均が照明必要閾値以下であればＳＴＥＰ８０６に進み、輝度平均が照明必要閾値より高ければＳＴＥＰ８０７に進む。照明必要閾値は、実施例３における図９のＳＴＥＰ２０６にて説明した通りである。
【０１４５】
ＳＴＥＰ８０６では、レンズマイコン１７は、照明ＯＮ／ＯＦＦ機能に対応する登録指紋の照合順位を最上位とする。そして、ＳＴＥＰ８０７に進む。
【０１４６】
ＳＴＥＰ８０７では、レンズマイコン１７は、フォーカス操作リング３０が操作されて（動いて）いるか否かを判定する。レンズマイコン１７は、フォーカス操作リング３０が操作されていればＳＴＥＰ９０８に進み、フォーカス操作リング３０が操作されていなければ本処理を終了する。
【０１４７】
ＳＴＥＰ８０８では、レンズマイコン１７は、ＡＦモードか否かを判定する。レンズマイコン１７は、ＡＦ中であればＳＴＥＰ９に進み、ＡＦモードでなければ（ＭＦモードであれば）ＳＴＥＰ１０に進む。
【０１４８】
ＳＴＥＰ８０９では、レンズマイコン１７は、ＡＦ／ＭＦ切り替え機能に対応する登録指紋の照合順位を最上位にする。そして、本処理を終了する。
【０１４９】
ＳＴＥＰ８１０では、レンズマイコン１７は、ＡＦ／ＭＦ切り替え機能に対応する登録指紋の照合順位を最下位にする。そして、本処理を終了する。
【０１５０】
ＳＴＥＰ８０１〜ＳＴＥＰ８０６の処理により、ＬＥＤ１３がＯＦＦであるとともに撮像モードがマクロモードで、かつ撮影画像が暗いと判定できるときは、照明ＯＮ／ＯＦＦ機能に対応する登録指紋の照合順位を上げることができる。このため、ＬＥＤ１３を点灯する必要がある場合には、ＬＥＤ１３のＯＮに対応する登録指紋が優先的に検出指紋と比較される。また、ＬＥＤ１３がＯＮであるとともに撮像モードがマクロモードではない、または撮影画像が十分明るいと判定できるときにも、照明ＯＮ／ＯＦＦ機能に対応する登録指紋の照合順位を上げることができる。このため、ＬＥＤ１３を消灯する必要がある場合には、ＬＥＤ１３をＯＦＦに対応する登録指紋が優先的に検出指紋と比較される。これにより、検出指紋を取得してからＬＥＤ１３の点灯／消灯が行われるまでの時間を短縮することができる。
【０１５１】
また、ＳＴＥＰ８０７からＳＴＥＰ８１０の処理により、フォーカス操作リング３０を操作したことを検出した時点でＡＦモードが設定されていれば、ＡＦ／ＭＦ切り替機能に対応する登録指紋の照合順位を上げることができる。このため、ＡＦモードにおいて使用者がＭＦによりフォーカス状態を調節したい場合には、ＭＦモードへの切り替えに対応する登録指紋が優先的に検出指紋と比較される。一方、フォーカス操作リング３０を操作したことを検出した時点でＭＦモードが設定されていれば、ＡＦ／ＭＦ切り替機能に対応する登録指紋の照合順位を下げることができる。つまり、ＡＦモードへの切り替えに対応する登録指紋が優先的には検出指紋と比較されなくなる。これにより、交換レンズ１の使用状況に応じてＡＦ／ＭＦ切り替機能に対応する登録指紋の照合順位が適切に設定され、使用者がＭＦモードに切り替えたい場合には検出指紋を取得してからＭＦモードに切り替えられるまでの時間を短縮することができる。
【０１５２】
本処理では、ＡＦ／ＭＦ切り替機能の使用頻度が照明ＯＮ／ＯＦＦ機能の使用頻度よりも高いと判定したためにＳＴＥＰ８０１〜ＳＴＥＰ８０６の処理を行い、その後ＳＴＥＰ８０７〜ＳＴＥＰ８１０の処理を行う。つまり、ＡＦ／ＭＦ切り替機能と照明ＯＮ／ＯＦＦ機能とが使用状況を考慮した際に両方とも指認証による選択がなされる可能性があると判定した際にＡＦ／ＭＦ切り替機能に対応する登録指紋の照合順位を上位とする。これにより、より適切に登録指紋の検出指紋との照合順序を設定することができる。
【０１５３】
なお、ＳＴＥＰ８０１〜ＳＴＥＰ８０６の処理に関連する使用状況とＳＴＥＰ８０７〜ＳＴＥＰ８１０の処理に関連する使用状況のそれぞれにおいて重み値を設定し、その重み値に応じて照合順序を入れ替えられるようにしてもよい。これにより、指認証により変更することができるレンズ機能の数が多い場合により適切に登録指紋の照合順序を設定することができる。
【０１５４】
以上の図１８、図８および図１９に示した処理を行うことで、検出指紋を取得してからこれに対応するレンズ機能が実行されるまでの時間をさらに短縮することができる。
【０１５５】
本実施例では、指認証において使用者優先照合と機能優先照合のうちいずれかを行う場合について説明したが、以下に説明するように、交換レンズの使用状況から登録使用者と登録レンズ機能に対してそれぞれ重み値を求め、重み値の大きい順に順位付けしてもよい。まず、図８に示した処理と同様の処理を行って複数の登録使用者に対して照合順序が上位のものから大きい重み値を使用者重み値として設定する。次に、図１９に示した処理と同様の処理を行って、複数の登録レンズ機能に対して照合順序が上位のものから大きい重み値を機能重み値として設定する。そして、使用者重み値と機能重み値とを乗算することで各登録指紋に対する重み値を求め、その重み値の順に照合を行う。この際、上記各処理における照合順位ごとの重み値の設定の仕方は一定でなくてもよい。つまり、交換レンズの使用状況から判定可能な登録使用者の実使用者としての確からしさから重み値を決めてもよい。例えば、撮像素子により検出された登録使用者が到底、指紋センサに触れることができる位置にいないと判定できた場合は、その登録使用者に対する使用者重み値を極端に小さくしてもよい。
【０１５６】
また、本実施例では、機能照合順序を決めるときに一般的な使用状況のみを考慮して順序付けを行ったが、登録使用者ごとにレンズ機能の使用頻度を判定して使用状況と合わせた重み付けを行い、登録使用者ごとに機能照合順序を定めてもよい。これにより、記憶すべき情報は増えるが、使用者優先照合を行った際に、登録使用者ごとにより選択される可能性が高いレンズ機能に対応する登録指紋を先に検出指紋と照合することができる。この結果、指紋照合を行う登録使用者を決定してから検出指紋がその登録使用者の登録指紋と一致すると認証されるまでの時間を短縮することができる。
【０１５７】
さらに、本実施例では、使用者照合順序を決めるときに使用状況のみを考慮して順序付けを行ったが、レンズ機能ごとに使用する登録使用者の頻度を判定して使用状況と合わせて重み付けを行い、レンズ機能ごとに使用者照合順序を定めてもよい。これにより、記憶すべき情報は増えるが、機能優先照合を行った際に、レンズ機能ごとにより使用する可能性が高い登録使用者の登録指紋を先に検出指紋と照合することができる。この結果、指紋照合を行う登録レンズ機能を決定してから検出指紋がその登録レンズ機能に対応する登録指紋と一致すると認証されるまでの時間を短縮することができる。
【０１５８】
上記実施例２，３および実施例５では、電子機器の例としての交換レンズおよびカーナビ装置について説明したが、これら実施例で説明した処理は他の電子機器にも適用することができる。例えば、実施例１で説明した処理は、交換レンズが装着されるカメラボディ（撮像装置）、前述したレンズ一体型カメラ（撮像装置）、プロジェクタ（画像投射装置）およびスマートフォン（携帯電話）等の電子機器または光学機器にも適用することができる。
【０１５９】
また、実施例３で説明した処理は、自動車内の空調や照明等を制御する電子機器に適用することができる。さらに、自動車内に限らず、建物内の空調や照明等を制御する電子機器にも適用することができる。その他、プリンター、複写機および音響機器等の電子機器にも適用することができる。
【０１６０】
また、実施例２でも触れたように、各実施例における指認証は、指紋認証に限らず、静脈認証を用いて行ってもよい。また、実施例２では指紋センサを通じて交換レンズの使用者の認証を行ったが、使用者の特定方法はこれに限らず、個人を示すマイクロチップの情報で特定したり指に微弱電流を流したときの抵抗値で特定したりしてもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１６１】
以上説明した各実施例は代表的な例にすぎず、本発明の実施に際しては、各実施例に対して種々の変形や変更が可能である。
【符号の説明】
【０１６２】
１  交換レンズ
２  カメラボディ
１２  レンズ指情報検出部
１７  レンズマイクロコンピュータ
５０  カーナビゲーション装置
５１  指情報検出部
５２  ナビゲーションマイクロコンピュータ
５５  携帯電話検出部
【図１】
2018005775.tif 000003
【図２】
2018005775.tif 000004
【図３】
2018005775.tif 000005
【図４】
2018005775.tif 000006
【図５】
2018005775.tif 000007
【図６】
2018005775.tif 000008
【図７】
2018005775.tif 000009
【図８】
2018005775.tif 000010
【図９】
2018005775.tif 000011
【図１０】
2018005775.tif 000012
【図１１】
2018005775.tif 000013
【図１２】
2018005775.tif 000014
【図１３】
2018005775.tif 000015
【図１４】
2018005775.tif 000016
【図１５】
2018005775.tif 000017
【図１６】
2018005775.tif 000018
【図１７】
2018005775.tif 000019
【図１８】
2018005775.tif 000020
【図１９】
2018005775.tif 000021